(57)【要約】【課題】接地導体部の特性の維持、向上を図りつつ、構成の小型化が図れるパターンアンテナを提供する。【解決手段】このパターンアンテナは、逆Ｆ型アンテナを構成しており、その接地導体部３が樹脂基板１の両面に設けられる。その両面の接地導体部３間の接続は複数のスルーホール１７によって行われている。また、このパターンアンテナでは、給電用のマイクロストリップ線１３が樹脂基板１の平面放射導体部５と反対側の面に形成される。ＲＦモジュール１５が樹脂基板１の平面放射導体部５と反対面に設けられる。【選択図】図１
2005110110.tif 000002
【特許請求の範囲】
【請求項１】
誘電体基板と、その誘電体基板に形成された接地導体部及び逆Ｆ型の平面放射導体部とを備えるパターンアンテナであって、
前記接地導体部は、
前記誘電体基板における前記平面放射導体部が設けられる一面側に形成された第１の接地導体膜と、
前記導電体基板の前記一面側と反対側である他面側に形成され、前記第１の接地導体膜と所定の接続路を介して接続された第２の接地導体膜と、
を備える、パターンアンテナ。
【請求項２】
請求項１に記載のパターンアンテナにおいて、
前記接続路は前記誘電体基板に設けられたスルーホールである、パターンアンテナ。
【発明の詳細な説明】
【技術分野】
【０００１】
本発明は、逆Ｆアンテナを構成するパターンアンテナに関する。
【背景技術】
【０００２】
この種の従来のパターンアンテナとしては、例えば特許文献１に記載のものがある。この特許文献１には、給電用のマイクロストリップ線が、誘電体基板における平面放射導体部の設けられた一面側に形成され、これに伴って、接地導体部が誘電体基板の他面側に形成されている。平面放射導体部と接地導体部との接続は、誘電体基板を貫通する短絡ピンにより行われている。
【０００３】
【特許文献１】特開平５−２２０１８号公報（段落[００１５]、図７等参照）
【発明の開示】
【発明が解決しようとする課題】
【０００４】
しかしながら、上記のパターンアンテナでは、接地導体部を誘電体基板の片面側（平面放射導体部と反対面側）にのみ設ける構成であるため、接地導体部の設置面積が制限され、接地導体部の特性向上が困難である。
【０００５】
また、この構成では、アンテナ構成（特に、誘電体基板）の小型化は接地導体部の設置面積の減少に直結するため、装置構成の小型化が困難である。
【０００６】
そこで、本発明の解決すべき課題は、接地導体部の特性の維持、向上を図りつつ、構成の小型化が図れるパターンアンテナを提供することである。
【課題を解決するための手段】
【０００７】
前記課題を解決するための手段は、誘電体基板と、その誘電体基板に形成された接地導体部及び逆Ｆ型の平面放射導体部とを備えるパターンアンテナであって、前記接地導体部は、前記誘電体基板における前記平面放射導体部が設けられる一面側に形成された第１の接地導体膜と、前記導電体基板の前記一面側と反対側である他面側に形成され、前記第１の接地導体膜と所定の接続路を介して接続された第２の接地導体膜と、を備える。
【０００８】
好ましくは、前記接続路は前記誘電体基板に設けられたスルーホールであるのがよい。
【発明の効果】
【０００９】
請求項１に記載の発明によれば、接地導体部を誘電体基板の両面に設け、その両面の接地導電膜を互いに接続して立体構造の接地導体部を構成することにより、接地導体部の性能向上が図れるとともに、誘電体基板上のスペースを有効に利用して大きな面積の接地導体部を形成して接地導体部の特性を理想グランドに近づけることができ、その結果、アンテナ性能、特に接地導体部の特性の維持、向上を図りつつ、パターンアンテナの小型化が図れる。
【００１０】
請求項２に記載の発明によれば、接地導体部を構成する第１及び第２の接地導体膜間の接続をスルーホールにより容易に行うことができる。
【発明を実施するための最良の形態】
【００１１】
図１及び図２は、本発明の一実施形態に係るパターンアンテナの一面側及び他面側の構成を示す図である。このパターンアンテナは、図１及び図２に示すように、樹脂基板１と、その樹脂基板１に形成された接地導体部３及び逆Ｆ型の平面放射導体部５とを備えて構成されている。
【００１２】
平面放射導体部５は、図１に示すように、印刷等により樹脂基板１の一面側表面に形成された銅等の金属膜によって平面的に形成されており、本体部５ａと、短絡用及び給電用の２つの枝部５ｂ，５ｃとを備えて構成されている。
【００１３】
本体部５ａは、接地導体部３から離間して設けられ、接地導体部３の平面放射導体部５側の端縁に沿った仮想線Ｌに平行に延びている。短絡用の枝部５ｂは、本体部５ａの長手方向の一端部から接地導体部３側に延設されて、接地導体部３の後述する第１の接地導体膜３ａに接続されている。給電用の枝部５ｃは、本体部５ａの前記一端部より所定寸法だけ長手方向中心側に進んだ部分から接地導体部３側に延設されている。この給電用の枝部５ｃの給電端（給電点）である先端部は、接地導体部３の上記端縁に沿った仮想線Ｌよりも平面放射導体５側の位置で止められており、スルーホール（接続路）１１を介して後述する下面側のマイクロストリップ線１３に接続されている。
【００１４】
樹脂基板１の他面側表面には、図２に示すように、マイクロストリップ線１３及びＲＦモジュール１５が設けられている。このマイクロストリップ線１３は、アンテナ特性の劣化を防止しつつ、平面放射導体部５とＲＦモジュール１５との接続を行うためのものであり、小さな線幅を有し、印刷等により樹脂基板１の表面に形成された銅等の金属膜によって構成されている。ＲＦモジュール１５が接地導体部３の上記端縁に沿った仮想線Ｌよりも接地導体部３側に配設されているため、マイクロストリップ線１３は仮想線Ｌを横切るようにして設けられている。そして、マイクロストリップ線１３の一端部がスルーホール１１を介して枝部５ｃの先端部と接続され、他端部がＲＦモジュール１５の図示しないＲＦ端子と接続されている。
【００１５】
ＲＦモジュール１５は、このパターンアンテナにより送信及び受信の少なくとも一方を行う機能を有するモジュール（本実施形態では、送受信機能を有するＲＦモジュール（例えば、無線ＬＡＮモジュール又はBluetooth(商標)モジュール）であり、そのＲＦ端子がマイクロストリップ線１３及びスルーホール１１を介して平面放射導体部５に接続されている。具体的な図示は省略しているが、ＲＦモジュール１５のグランド端子が所定の接続路を介して後述する接地導体部３の第２の接地導体膜３ｂに接続される。
【００１６】
接地導体部３は、樹脂基板１の一面側表面に設けられる第１の接地導体膜３ａと、樹脂基板１の他面側表面に設けられる第２の接地導体膜３ｂとを備えている。各接地導体膜３ａ，３ｂは、印刷等により樹脂基板１の表面に形成された銅等の金属膜によって構成されている。本実施形態では、図１又は図２の視点を基準として、第１の接地導体膜３ａは樹脂基板１の一面側表面上における仮想線Ｌよりも下側領域の実質的に全面を覆うように形成されており、第２の接地導体膜３ｂは樹脂基板１の他面側表面上における仮想線Ｌよりも下側領域に、ＲＦモジュール１５の左右に２分割されて形成されている。このような第１及び第２の接地導体膜３ａ，３ｂは、仮想線Ｌの近傍において樹脂基板１に列設された複数のスルーホール（接続路）１７によって互いに接続されている。
【００１７】
図３は、パターンアンテナのスルーホール１１周辺の断面図である。図３にスルーホール１１について代表して示すように、樹脂基板１に設けられたスルーホール１１，１７によって、枝部５ｃとマイクロストリップ線１３との間、及び第１の接地導体膜３ａと第２の接地導体膜３ｂとの間が電気的に接続されている。
【００１８】
図４は図１のパターンアンテナのＳＷＲ特性図であり、図５は同パターンアンテナの水平面及び垂直面内指向性を示す特性図である。図５の特性図において、白丸が水平面内指向性の計測結果に対応し、黒丸が垂直面内指向性の計測結果に対応している。図４の特性図より望ましいＳＷＲ特性が得られていることが分かる。また、図５の特性図より、水平面内、垂直面内の両方の指向特性に対して平均的に良好な特性が得られていることが分かる。
【００１９】
以上のように、本実施形態によれば、接地導体部３を樹脂基板１の両面に設け、その両面の接地導電膜３ａ，３ｂを互いに接続して立体構造の接地導体部３を構成することにより、接地導体部３の性能向上が図れるとともに、樹脂基板１上のスペースを有効に利用して大きな面積の接地導体部３を形成して接地導体部３の特性を理想グランドに近づけることができ、その結果、アンテナ性能、特に接地導体部３の特性の維持、向上を図りつつ、パターンアンテナの小型化が図れる。
【００２０】
また、枝部５ｃとマイクロストリップ線１３との間、及び第１の接地導体膜３ａと第２の接地導体膜３ｂとの間の接続をスルーホール１１，１７によって容易に行うことができる。
【００２１】
さらに、本実施形態に係るパターンアンテナでは、水平面内、垂直面内の両方の指向特性に対して平均的に良好な特性を得ることができる。
【００２２】
なお、本実施形態の変形例として、枝部５ｃとマイクロストリップ線１３との間、及び第１の接地導体膜３ａと第２の接地導体膜３ｂとの間の接続を、スルーホール１１，１７の代わりに、樹脂基板１を貫通して設けた短絡ピン等によって行うようにしてもよい。
【図面の簡単な説明】
【００２３】
【図１】本発明の一実施形態に係るパターンアンテナの一面側の構成を示す図である。
【図２】図１のパターンアンテナの他面側の構成を示す図である。
【図３】図１のパターンアンテナのスルーホール周辺の断面図である。
【図４】図１のパターンアンテナのＳＷＲ特性図である。
【図５】図１のパターンアンテナの水平面及び垂直面内指向性を示す特性図である。
【符号の説明】
【００２４】
１  樹脂基板（誘電体基板）
３  接地導体部
３ａ  第１の接地導体膜
３ｂ  第２の接地導体膜
５  平面放射導体部
５ａ  本体部
５ｂ  短絡用の枝部
５ｃ  給電用の枝部
１１  スルーホール（接続路）
１３  マイクロストリップ線
１５  ＲＦモジュール
１７  スルーホール
【図１】
2005110110.tif 000003
【図２】
2005110110.tif 000004
【図３】
2005110110.tif 000005
【図４】
2005110110.tif 000006
【図５】
2005110110.tif 000007